(57)【要約】      （修正有）【課題】小回りがきいて、小型で、しかも収納時にはよりコンパクトな状態となって極めて小さなスペースに収納でき、しかもソーラーパネルを折り畳むことなく、移動可能な移動式太陽光発電機を提供する。【解決手段】移動式太陽光発電機１を移動する場合には、ハンドル３７を掴んで垂直姿勢から時計回りの方向へ回動させて架台３を一定角度（例えば５３度）以上傾けて傾斜姿勢とする。この傾斜姿勢では走行輪が設置面Ｓに当接し、且つ一対の設置部５３と一対の突出部１５が設置面Ｓから離れる。これにより移動式太陽光発電機１は走行可能な状態となり、ハンドル３７を持って走行させて容易に移動することが可能となる。【選択図】図１１
2013191728.tif 000002
【特許請求の範囲】
【請求項１】
ソーラーパネルが搭載される架台と、前記架台に取り付けられた走行輪とを有する移動式太陽光発電機において、前記走行輪は同軸上に２つ備えられ、且つ架台の下端部より上方に位置して、前記架台を垂直姿勢にすると前記走行輪が設置面から離れて架台の下端面が移動式太陽光発電機の設置面に当接して立った状態で固定され、架台を垂直姿勢から倒して一定角度以上傾斜する傾斜姿勢にすると前記下端面が設置面から離れて走行輪が設置面に当接して走行可能な状態となることを特徴とする移動式太陽光発電機。
【請求項２】
請求項１に記載した移動式太陽光発電機において、架台を垂直姿勢から傾斜姿勢にする途中で設置面に摺接する架台の摺接部をアール面としたことを特徴とする移動式太陽光発電機。
【請求項３】
請求項1または２に記載した移動式太陽光発電機において、架台は長さ方向の後半部に対し前半部が回動自在に連結されており、前半部を回動させて後半部に乗る状態に折り畳むことができることを特徴とする移動式太陽光発電機。
【請求項４】
請求項１から３のいずれかに記載した移動式太陽光発電機において、ソーラーパネルは折り畳んで閉じた状態と開いた状態に開閉自在であり、非使用時には折り畳んで閉じた状態とし、使用時には開いた状態とするものであって、開いた状態と閉じた状態のいずれにおいても架台にのみ支持され設置面と離間していることを特徴とする移動式太陽光発電機。
【請求項５】
請求項１から４のいずれに記載した移動式太陽光発電機において、架台には移動する際に掴むハンドルが、架台の上端から突出する突出位置と、架台に重なる退避位置に動作可能に設けられ、前記ハンドルはソーラーパネルを閉じた状態では突出位置に固定して用い、ソーラーパネルを開くときには退避位置に固定するものであり、且つソーラーパネルには前記ハンドルが退避位置にあるときに掴むパネル側ハンドルが備えられていることを特徴とする移動式太陽光発電機。
【請求項６】
請求項１から６のいずれかに記載した移動式太陽光発電機において、架台が略水平となる水平姿勢にすると、設置面に当接する突出凸部を架台に設けたことを特徴とする移動式太陽光発電機。
【発明の詳細な説明】
【技術分野】
【０００１】
本発明は移動式太陽光発電機に係り、特に走行輪付の架台にソーラーパネル等が搭載された移動式太陽光発電機に関するものである。
【背景技術】
【０００２】
近年、ソーラーパネルを用いた太陽光発電が注目されており、ソーラーパネルを自由に移動できる移動式太陽光発電機が開発されている。
特許文献１に記載された移動式太陽光発電機は、４つの走行輪と固定脚とを備えた架台にソーラーパネル、コントローラー等が搭載されている。また、ソーラーパネルは２枚設けられ、この２枚のソーラーパネルはヒンジによって開閉可能に連結されている。ソーラーパネルを開くと、その一端側は架台によって支持され、他端側は設置面に当接する支持脚によって支持される。
【先行技術文献】
【特許文献】
【０００３】
【特許文献１】実用新案登録第３１６９４４１号
【発明の概要】
【発明が解決しようとする課題】
【０００４】
しかしながら、上記従来の移動式太陽光発電機は４つの走行輪を有しており、小回りがきかないばかりか、どうしても大型になり自動車に搭載する場合などの収納時において大きなスペースを取るなどの問題がある。
また、ソーラーパネルを開くと支持脚が設置面に当接するので、ソーラーパネルを開いた状態では移動式太陽光発電機を動かすことができない。このため、ソーラーパネルを日光が当たる方向へ向けるためには、ソーラーパネルをいちいち閉じなければならないという問題がある。
【０００５】
本発明は上記従来の問題点に着目して為されたものであり、小回りがきいて、小型で、しかも収納時にはよりコンパクトな状態にできて極めて小さなスペースに収納でき、しかもソーラーパネルを閉じることなく、移動可能な移動式太陽光発電機の提供を、その目的とする。
【課題を解決するための手段】
【０００６】
本発明は上記課題を解決するためになされたものであり、請求項１の発明は、ソーラーパネルが搭載される架台と、前記架台に取り付けられた走行輪とを有する移動式太陽光発電機において、前記走行輪は同軸上に２つ備えられ、且つ架台の下端部より上方に位置して、前記架台を垂直姿勢にすると前記走行輪が設置面から離れて架台の下端面が移動式太陽光発電機の設置面に当接して立った状態で固定され、架台を垂直姿勢から倒して一定角度以上傾斜する傾斜姿勢にすると前記下端面が設置面から離れて走行輪が設置面に当接して走行可能な状態となることを特徴とする移動式太陽光発電機である。
【０００７】
請求項２の発明は、請求項１に記載した移動式太陽光発電機において、架台を垂直姿勢から傾斜姿勢にする途中で設置面に摺接する架台の摺接部をアール面としたことを特徴とする移動式太陽光発電機である。
【０００８】
請求項３の発明は、請求項1または２に記載した移動式太陽光発電機において、架台は長さ方向の後半部に対し前半部が回動自在に連結されており、前半部を回動させて後半部に乗る状態に折り畳むことができることを特徴とする移動式太陽光発電機である。
【０００９】
請求項４の発明は、請求項１から３のいずれかに記載した移動式太陽光発電機において、ソーラーパネルは折り畳んで閉じた状態と開いた状態に開閉自在であり、非使用時には折り畳んで閉じた状態とし、使用時には開いた状態とするものであって、開いた状態と閉じた状態のいずれにおいても架台にのみ支持され設置面と離間していることを特徴とする移動式太陽光発電機である。
【００１０】
請求項５の発明は、請求項１から４のいずれに記載した移動式太陽光発電機において、架台には移動する際に掴むハンドルが、架台の上端から突出する突出位置と、架台に重なる退避位置に動作可能に設けられ、前記ハンドルはソーラーパネルを閉じた状態では突出位置に固定して用い、ソーラーパネルを開くときには退避位置に固定するものであり、且つソーラーパネルには前記ハンドルが退避位置にあるときに掴むパネル側ハンドルが備えられていることを特徴とする移動式太陽光発電機である。
【００１１】
請求項６の発明は、請求項１から６のいずれかに記載した移動式太陽光発電機において、架台が略水平となる水平姿勢にすると、設置面に当接する突出凸部を架台に設けたことを特徴とする移動式太陽光発電機である
【発明の効果】
【００１２】
本発明の移動式太陽光発電機では、小回りがきいて、狭い場所でも楽に取り回すことができる。更にこの移動式太陽光発電機は小型で、しかも収納時にはよりコンパクトな状態となって極めて小さなスペースに収納することができる。
また、ソーラーパネルを閉じることなく、走行させて移動することも可能である。
【図面の簡単な説明】
【００１３】
【図１】本発明の実施の形態に係る移動式太陽光発電機の垂直姿勢の斜視図である。（ａ）は○で囲んだ部位の裏面側（見えない部位）の斜視図である。
【図２】図１の状態から移動式太陽光発電機の架台の前半部を開いた状態の斜視図である。
【図３】図２の状態から移動式太陽光発電機のソーラーパネルユニットを傾斜姿勢となる方向へ回動させた状態の斜視図である。
【図４】図３の状態から移動式太陽光発電機のソーラーパネルユニットを左方向へスライドさせた状態の斜視図である。
【図５】図４の状態から移動式太陽光発電機のソーラーパネルを開いた状態の斜視図である。（ａ）（ｂ）（ｃ）（ｄ）はそれぞれ○で囲んだ部位の裏面側（見えない部位）の斜視図である。
【図６】図１の移動式太陽光発電機の前半部を開く動作を説明するための側面図である。
【図７】図６の状態から移動式太陽光発電機の前半部を開きソーラーパネルユニットを傾斜させた状態の側面図である。
【図８】図７の状態から移動式太陽光発電機のソーラーパネルを開いた状態の側面図である。
【図９】図１の移動式太陽光発電機の垂直姿勢の側面図である。
【図１０】図９の状態から移動式太陽光発電機が傾斜するように倒した状態の側面図である。
【図１１】図１０の状態から移動式太陽光発電機を更に傾けて突出部が設置面から離れ、走行輪だけが設置面に当接する傾斜姿勢とした状態の側面図である。
【図１２】図１１の状態から移動式太陽光発電機を更に傾けて略水平姿勢として支持凸部と走行輪が設置面に当接した状態の側面図である。
【図１３】図１２の状態から移動式太陽光発電機を支持凸部が設置面から離れる方向へ僅かに持ち上げた状態の側面図である。
【図１４】図１の架台の背面図である。
【図１５】図１の移動式太陽光発電機にソーラーパネルを開いた状態の背面図である。
【図１６】図１５のソーラーパネルを閉じた状態の正面図である。
【図１７】図１５のソーラーパネルを閉じた状態の側面図である。
【図１８】図１７の状態から架台を傾斜姿勢とする方向へ傾けた状態の側面図である。
【発明を実施するための形態】
【００１４】
本発明の実施の形態に係る移動式太陽光発電機１を図面にしたがって説明する。
符号３は架台を示し、この架台３は金属製角パイプ等を組み合わせて構成されており、架台３の長さ方向の後半部５に対し前半部７が支持軸９を介して回動自在に連結されている。後半部５のベース１３の前端部両側には固定ネジ１１が螺合され、この固定ネジ１１を締めることよって前半部７の回動を規制して、前半部７を後半部５に対して固定することができる。
【００１５】
後半部５の詳細な構成について説明する。
ベース１３の後端部下面には下方へ突出する左右一対の突出部１５が設けられており、これらの突出部１５の後方側の下端部分は摺接部１７となっており、この摺接部１７はアール面となっている。
また、ベース１３の前端部下面には下方へ突出する左右一対の突出部１９が設けられており、これらの突出部１９は突出部１５より短寸法に形成されている。突出部１９の下面には設置部２１が取り付けられており、この設置部２１は突出寸法を調整することができる。
これら突出部１５の下面と設置部２１の下面によって架台３の下端面が構成されている。
【００１６】
ベース１３には２つの走行輪２３が左右に配されて同軸上に設けられ、これらの走行輪２３は架台３の下端部より上方に位置しており、架台３を垂直姿勢にすると走行輪２３が移動式太陽光発電機１を設置する設置面Ｓから離れている。
ベース１３の後端部上面には一対の立設フレーム２５、２７が前後方向に互いに間隔をあけて備えられている。立設フレーム２５は立設フレーム２７より高さ寸法が大きく設定され、また上端部が前方に傾斜している。立設フレーム２５、２７の上端部間には左右一対の傾斜部材２９が渡設されている。更に立設フレーム２５、２７の中間部間には補強部材３１が渡設されている。
立設フレーム２５の左側の上端部内側面と右側の上端部外側面には、雌ネジ２４を有する重合片２６ａ、２６ｂが固定されている。
【００１７】
また、立設フレーム２５の後部には左右一対のガイドパイプ３５が固定されている。符号３７はハンドルを示し、このハンドル３７は丸パイプ製でコの字状に形成されており、ハンドル３７の左右一対の垂直部が一対のガイドパイプ３５にそれぞれ挿通され、ハンドル３７はガイドパイプ３５に上下自在に支持されている。
一対のガイドパイプ３５には固定ネジ４０が螺合されており、この固定ネジ４０を締めることによってハンドル３７を所望の位置に固定することができる。
また、一対のガイドパイプ３５の下端部には後方へ突出する支持凸部３６がそれぞれ形成されている。
【００１８】
なお、立設フレーム２５の上端部両側には後述するソーラーパネルユニット５５を固定する固定ネジ４１が螺合されている。
立設フレーム２７は、その上端部に後述するソーラーパネルユニット５５を支持するガイドシャフト２８を有している。また、立設フレーム２７は、その下端部に横架材３０を有し、この横架材３０には縦方向へ延びる長穴３２が形成されている。更に横架材３０の裏面には重合片３４が設けられ、この重合片３４は長穴３２の縁に備えられている。この重合片３４には雌ネジ（図示せず）が形成されている。
【００１９】
前半部７の詳細な構成について説明する。
符号４３はベースを示し、このベース４３の前端部の左右両側には支持柱４５が設けられている。支持柱４５の内側面の上端には上方へ突出する重合片４７が設けられており、この重合片４７には雌ネジ４８が形成されている。この雌ネジ４８には後述するように外側面側から螺合された固定ネジ４１が取り付けられている。
また、支持柱４５の下端部はベース４３より下側に突出し、突出部５１を構成している。突出部５１の下面には設置部５３が取り付けられており、この設置部５３は突出寸法を調整することができる。
【００２０】
ソーラーパネルユニット５５の詳細な構成について説明する。
符号５７、５８はソーラーパネルを示し、ソーラーパネル５７、５８は一対の蝶番６０によって折り畳み開閉自在に連結されている。ソーラーパネル５７、５８には３つのホルダ５９、６１、６３が取り付けられている(図１５参照)。ホルダ５９、６１、６３は両端部が直角に折り曲げられた板状で、ソーラーパネル５７の上端部、中間部、下端部に裏面側からそれぞれ嵌め込まれて固定されている。
ソーラーパネル５７、５８のホルダ５９にはハンドル６５が取り付けられている。ソーラーパネル５７のホルダ６１には直動軸受６７が取り付けられている。また、ソーラーパネル５８のホルダ６１にはベースプレート６９が固定され、このベースプレート６９には一対の対向プレート７１が互いに間隔をあけて固定されており、一対の対向プレート７１には雄ネジ７３が渡設されて螺合される。
【００２１】
ソーラーパネル５７、５８のホルダ６３には垂直に立つ重合片７５が設けられており、この重合片７５には雌ネジ７７が形成されている。
また、ソーラーパネル５７、５８のホルダ５９とホルダ６１との間には固定プレート７９が固定され、この固定プレート７９には垂直に立つ重合片８１が設けられており、この重合片８１には雌ネジ８３が形成されている。
【００２２】
ソーラーパネルユニット５５は、直動軸受６７がガイドシャフト２８に支持されることによって、架台３に左右方向へ動作自在に搭載されている。
そして、ソーラーパネル５７、５８はコード８５を介して架台３に搭載されたコントローラー８７に接続されている。このコントローラー８７はバッテリーを接続し、更にインバーターを接続してＡＣ１００Ｖとして使用することも可能である。
移動式太陽光発電機１は以上のように構成されている。
【００２３】
次に、移動式太陽光発電機１の使用方法について説明する。
移動式太陽光発電機１の非使用時においては、ハンドル３７を上方へ引き出して固定ネジ４０を締めて固定しておく。また、架台３の前半部７を後半部５に載る状態に折り畳んで固定ネジ１１を締めて固定しておく。
また、ソーラーパネルユニット５５を垂直に立て、ソーラーパネル５７のホルダ６３の重合片７５を横架材３０の長穴３２へ挿通させて、横架材３０の裏面側へ突出させる。これにより重合片７５は重合片３４に重なる状態となる。そして、固定ネジ８０を雌ネジ７７と重合片３４の雌ネジ（図示せず）とに螺合して、ソーラーパネルユニット５５を立設する状態に固定する。
【００２４】
そして、図１、図９に示すように架台３が垂直に立つ垂直姿勢とする。この垂直姿勢では、走行輪２３が設置面から離れて設置面Ｓに一対の設置部２１の下面と一対の突出部１５の下面が当接した状態となり、移動式太陽光発電機１は不用意に動ない状態に自立する。
移動式太陽光発電機１を移動する場合には、ハンドル３７を掴んで垂直姿勢から図１０に示すように同図において時計回りの方向へ回動させて架台３を一定角度（例えば５３度）以上傾けて、図１１に示すように傾斜姿勢とする。摺接部１７はアール面となっているので、架台３を回動させる際にスムーズに動作させることができる。
この傾斜姿勢では走行輪２３が設置面Ｓに当接し、且つ一対の設置部２１の下面と一対の突出部１５の下面が設置面Ｓから離れる。これにより移動式太陽光発電機１は、ハンドル３７を掴んで押したり、引いたりすれば走行輪２３を回動させ走行でき、容易に移動することが可能となる。更に、一対の走行輪２３による二輪走行であるので、小回りがきいて、狭い場所でも楽に取り回すことができる。
【００２５】
図１２に示すように移動式太陽光発電機１を、架台３をほぼ水平となる水平姿勢とすれば、設置面Ｓに一対の走行輪２３と一対の支持凸部３６が当接した状態となり、移動式太陽光発電機１を安定して静止させることができる。
上記水平姿勢では、高さ寸法の限られたスペース、例えばバンタイプの自動車の荷台にも移動式太陽光発電機１を収容することが可能になる。
水平姿勢から図１３に示すようにハンドル３７を掴んで同図において反時計回りの方向へ僅かに回動させれば、一対の支持凸部３６が設置面Ｓから離間して、走行輪２３だけが設置面Ｓに当接する状態となる。この状態ではハンドル３７を引けば移動式太陽光発電機１が走行して、移動式太陽光発電機１をバンタイプの自動車の荷台から簡単に降ろすことができる。
【００２６】
このように移動式太陽光発電機１は、小回りがきいて、小型で、しかも収納時にはよりコンパクトな状態となって極めて小さなスペースに収納することができる。
【００２７】
ソーラーパネル３９を開いて発電するための作業について説明する。
固定ネジ４０を緩めて図１４に示すようにハンドル３７を仮想線で示す状態から下げて実線で示す状態にして、固定ネジ４０を締めてハンドル３７をその状態に固定する。
そして、固定ネジ１１を緩めて前半部７の回動できる状態とし、図６に示すように前半部７を回動させて、図２、図７に示すように設置部５３を設置面Ｓに当接させる。この状態で固定ネジ１１を締めて前半部７を固定する。
【００２８】
次に、ソーラーパネルユニット５５を垂直姿勢に固定している固定ネジ８０を重合片７５、３４から外し、ソーラーパネルユニット５５を回動可能な状態とする。
次いで、図３に示すように矢印の方向へソーラーパネルユニット５５を回動させて、更に図４に示すように矢印の方向（左方向）へスライドさせる。
そして、ソーラーパネル５７の固定プレート７９の重合片８１ａを立設フレーム２５の左側の上端部内側の重合片２６ａに重合させ、固定ネジ４１を重合片８１ａの雌ネジ８３ａと重合片２６ａの雌ネジ２４とに螺合する(図５（ａ）参照、（ａ）は○で囲んだ部位の裏面側（見えない部位）の斜視図である。)。更に、ソーラーパネル５７のホルダ６３の重合片７５を左側の支持柱４５の重合片４７の内側面に重合させ、更に固定ネジ４１を重合片４７の雌ネジ４８と重合片７５の雌ネジ７７に螺合する(図５（ｂ）参照、（ｂ）は○で囲んだ部位の裏面側（見えない部位）の斜視図である。)。
【００２９】
そして、図５、図８に示すようにソーラーパネル５８を回動させて開き、一対の対向プレート７１がガイドシャフト２８に隙間を開けて嵌る状態とする（図５（ｃ）参照、（ｃ）は○で囲んだ部位の裏面側（見えない部位）の斜視図である。)。この状態で一対の対向プレート７１に雄ネジ７３を渡設して螺合して、ソーラーパネル５８の回動を規制する。また、ソーラーパネル５８を開くと、ソーラーパネル５８のホルダ６３の重合片７５が右側の支持柱４５の重合片４７の外側面に重合する。この状態で固定ネジ４１を重合片７５の雌ネジ７７と重合片４７の雌ネジ４８とに螺合する。更にソーラーパネル５８の固定プレート７９の重合片８１ｂを立設フレーム２５の右側の上端部外側の重合片２６ｂに重合させ、固定ネジ４１を重合片８１ｂの雌ネジ８３ｂと重合片２６ｂの雌ネジ２４とに螺合する（図５（ｄ）参照、（ｄ）は○で囲んだ部位の裏面側（見えない部位）の斜視図である。)。これによりソーラーパネル５７、５８が架台３に固定される。
上記のようにソーラーパネル５７、５８を開いて固定した状態で受光させて発電を行い、コード８５を介してコントローラー８７へ電流を供給して蓄電する。
【００３０】
ソーラーパネル５７、５８を開いた状態で、移動式太陽光発電機１を移動する場合はソーラーパネル５７、５８のハンドル６５を掴んで、図１８に示すように架台３を傾けて走行輪２３を設置面Ｓに当接させ、例えばソーラーパネル５７、５８により日光が当たる位置に移動させる。このように移動式太陽光発電機１では、ソーラーパネル５７、５８を開いて発電を行っている最中でも、走行輪２３によって走行させることによって極めて容易に移動させることが可能である。すなわち、移動式太陽光発電機１では、ソーラーパネル５７、５８を閉じた状態と開いた状態のいずれでも、架台３に支持されており、走行輪２３によって自由に走行させて移動させることができる。
【００３１】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では架台の前半部を回動可能として折り畳みできる構成としたが、本発明はこれに限定されず前半部が後半部に対して回動せず固定されている構成としてもよい。
【産業上の利用可能性】
【００３２】
本発明の移動式太陽光発電機は、移動式太陽光発電機の製造業に利用可能性を有する。
【符号の説明】
【００３３】
１…移動式太陽光発電機      ３…架台      ５…架台の後半部
７…架台の前半部      ９…支持軸      １１…固定ネジ
１３…ベース      １５…突出部      １７…摺接部
１９…突出部      ２１…設置部      ２３…走行輪
２４…雌ネジ      ２６…重合板
２５、２７…立設フレーム      ２８…ガイドシャフト
２９…傾斜部材      ３０…横架材
３１…補強部材      ３２…長穴
３４…重合片      ３５…ガイドパイプ
３６…支持凸部      ３７…ハンドル
４０…固定ネジ      ４１…固定ネジ
４３…ベース      ４５…支持柱
４７…重合片      ４８…雌ネジ
５１…突出部      ５３…設置部      ５５…ソーラーパネルユニット
５７、５８…ソーラーパネル      ６０…蝶番      ５９、６１、６３…ホルダ
６５…ハンドル      ６７…直動軸受      ６９…ベースプレート
７１…対向プレート      ７３…雄ネジ      ７５…重合片
７７…雄ネジ      ７９…固定プレート      ８１…重合片
８３…雌ネジ      ８５…コード      ８７…コントローラー
Ｓ…設置面
【図１】
2013191728.tif 000003
【図２】
2013191728.tif 000004
【図３】
2013191728.tif 000005
【図４】
2013191728.tif 000006
【図５】
2013191728.tif 000007
【図６】
2013191728.tif 000008
【図７】
2013191728.tif 000009
【図８】
2013191728.tif 000010
【図９】
2013191728.tif 000011
【図１０】
2013191728.tif 000012
【図１１】
2013191728.tif 000013
【図１２】
2013191728.tif 000014
【図１３】
2013191728.tif 000015
【図１４】
2013191728.tif 000016
【図１５】
2013191728.tif 000017
【図１６】
2013191728.tif 000018
【図１７】
2013191728.tif 000019
【図１８】
2013191728.tif 000020